(57)【要約】【目的】軽量化を図ることができ、既設の下段足場板上での搬送が容易で作業がし易く、取付作業が短時間で簡単に行える安全手摺を提供すること。【解決手段】上下方向に継ぎ足してなる支柱２を複数並立させると共に、隣り合う支柱２，２間に足場板３を上下複数段に架け渡して組み立てられる足場４の組立にあたり、支柱２に設けられた差込部５を利用して、既設の下段側足場板３から、新設する上段側足場板３の先行仮設手摺として取り付ける安全手摺であって、水平材６と竪材７と斜材８とによって直角三角形状に枠組み形成された手摺本体９からなり、竪材７の上部側には支柱２の差込部５に掛止可能なフック１１を設け、竪材７の下端部には差込部５に固定可能な固定金具１０を備え、斜材８の上流端部には差込部５に掛止可能なフック１２を設ける。【選択図】        図４
2005068652.tif 000002
【特許請求の範囲】
【請求項１】
上下方向に継ぎ足してなる支柱を複数並立させると共に、隣り合う支柱間に足場板を上下複数段に架け渡して組み立てられる足場の組立にあたり、支柱に設けられた差込部を利用して、既設の下段側足場板から、新設する上段側足場板の先行仮設手摺として取り付ける安全手摺であって、
水平材と、水平材の一端部から垂直下方に延びる竪材と、水平材の他端部と竪材の下端部とに亘って延びる斜材とにより直角三角形状に枠組形成された手摺本体からなり、
竪材の上部側には支柱の差込部に掛止可能なフックを設け、竪材の下端部には差込部に固定可能な固定金具を備え、斜材の上流端部には差込部に掛止可能なフックを設け、固定金具は、差込部に掛止可能なコ字状枠片と、差込部に掛止させたコ字枠状片の上方からこれらコ字状枠片及び差込部を貫通して打ち込まれる楔片と、からなる安全手摺。
【請求項２】
斜材の上流端部に設けられるフックは、楔状に形成されると共に、その斜辺部の中間部に掛止段部が形成され、この掛止段部が支柱の差込部に掛止した時はフックが回転可能状態となり、掛止段部を超えて差込部に差し込まれることによってフックが固定状態となることを特徴とする請求項１に記載の安全手摺。
【請求項３】
手摺本体には、水平材と竪材との接合部と、斜材の中間部とをつなぐ補強材を設けてなる請求項１又は２に記載の安全手摺。
【発明の詳細な説明】
【０００１】
【発明の属する技術分野】
本発明は、建設作業現場において、上下方向に継ぎ足してなる支柱を複数並立させると共に、足場板長手方向に隣り合う支柱間に足場板を上下複数段に架け渡して組み立てられる単管足場の組立にあたり、支柱に設けられた孔付きフランジ等の差込部を利用して、既設の下段側足場板から、新設する上段側足場板の先行仮設手摺りとして取り付ける安全手摺に関するものである。
【０００２】
【従来の技術】
従来の安全手摺は、公知文献を具体的に上げることは出来ないが、両側一対の竪杆と上下の横杆とで形成される周枠に複数の中桟を配設して矩形枠体状に構成したもので、この矩形枠体状手摺を、既設の下段側足場板から、新設する上段側足場板に持ち上げることによって、隣り合う両支柱に取り付けるようになっている。
【０００３】
【発明が解決しようとする課題】
上記のような安全手摺では、矩形枠体状であるため重量が重くなると共に作業員が持ち難く、既設の下段足場板上での搬送が面倒であり、また矩形枠体状であるため既設の下段足場板上で作業員が万歳をするような恰好で安全手摺を持ち上げて、新設する上段側足場板での取付作業を行わねばならず、従って安全手摺の取付作業が非常に面倒で、非常な時間と手間がかかっていた。
【０００４】
本発明は、軽量化を図ることができ、既設の下段足場板上での搬送が容易で作業がし易く、取付作業が短時間で簡単に行える安全手摺を提供することを目的とする。
【０００５】
【課題を解決するための手段】
請求項１に係る発明の安全手摺１は、上下方向に継ぎ足してなる支柱２を複数並立させると共に、隣り合う支柱２，２間に足場板３を上下複数段に架け渡して組み立てられる足場４の組立にあたり、支柱２に設けられた差込部５を利用して、既設の下段側足場板３から、新設する上段側足場板３の先行仮設手摺として取り付ける安全手摺であって、水平材６と、水平材６の一端部から垂直下方に延びる竪材７と、水平材６の他端部と竪材７の下端部とに亘って延びる斜材８とにより直角三角形状に枠組形成された手摺本体９からなり、竪材７の上部側には支柱２の差込部５に掛止可能なフック１１を設け、竪材７の下端部には差込部５に固定可能な固定金具１０を備え、斜材８の上流端部には差込部５に掛止可能なフック１２を設け、固定金具１０は、差込部５に掛止可能なコ字状枠片１３と、差込部５に掛止させたコ字状枠片１３の上方からこれらコ字状枠片１３及び差込部５を貫通して打ち込まれる楔１４と、からなることを特徴とする。
【０００６】
請求項２は、請求項１に記載の安全手摺において、斜材８の上流端部に設けられるフック１２は、楔状に形成されると共に、その斜辺部１２ｏの中間部に掛止段部２２が形成され、この掛止段部２２が支柱２の差込部５に掛止した時はフック１２が回転可能状態となり、掛止段部２２を超えて差込部５に差し込まれることによってフックが固定状態となることを特徴とする。
【０００７】
請求項３は、請求項１又は２に記載の安全手摺において、手摺本体９には、水平材６と竪材７との接合部２４と、斜材８の中間部とをつなぐ補強材１５を設けてなることを特徴とする。
【０００８】
【発明の実施の形態】
本発明の好適な実施形態について図面を参照しながら説明すると、図１の（ａ）は本発明に係る安全手摺１を示す正面図であり、（ｂ）  は（ａ）  の矢印イで示す部分の拡大正面図、（ｃ）  は同部分の平面図である。図２の（ａ）  は図１の（ａ）  の矢印ロで示す部分の拡大正面図、図２の（ｂ）  は図２の（ａ）  のホ−ホ線断面図である。また図２の（ｃ）  は図１の矢印ハで示す部分の拡大正面図、図２の（ｄ）  は図２の（ｃ）のヘ−ヘ線断面図である。図３及び図４は安全手摺１の取付方法を説明する説明図面である。図５の（ａ）  は図４の（ａ）  の矢印トで示す部分の拡大正面図、（ｂ）  は図４の（ａ）  の矢印チで示す部分の拡大正面図であり、図６の（ａ）  は図５の（ａ）  のリ−リ線断面図、（ｂ）  は図５の（ａ）  のヌ−ヌ線断面図である。
【０００９】
この安全手摺１は、図３及び図４に示すように、上下方向に継ぎ足してなる支柱２を複数並立させると共に、足場板長手方向に隣り合う支柱２，２間に足場板３を上下複数段に架け渡して組み立てられる単管足場４の組立にあたり、支柱２に設けられた差込部５を利用して、実線で示す既設の下段側足場板３から、仮想線図示の新設する上段側足場板３の先行仮設手摺として取り付けるようにしたもので、水平材６と、この水平材６の一端部から垂直下方に延びる竪材７と、水平材６の他端部と竪材７の下端部とに亘って延びる斜材８とにより直角三角形状に枠組形成されたラーメン構造の手摺本体９を有する。
【００１０】
図１の（ａ）  に示すように、手摺本体９における竪材７の上部側には支柱２の差込部５に掛止可能なフック１１が設けられ、竪材７の下端部には差込部５に固定可能な固定金具１０が備えられ、そして斜材８の上流端部には支柱２の差込部５に掛止可能なフック１２が設けられている。固定金具１０は、支柱２の差込部５に掛止可能なコ字状枠片１３と、差込部５に掛止させたコ字枠状片１３の上方からこれらコ字状枠片１３及び差込部５を貫通して打ち込まれる楔１４と、からなる。また手摺本体９には、水平材６と竪材７との接合部と、斜材８の長手方向中間部とをつなぐ補強材１５が設けられている。尚、図３及び図４において、２０及び２１は下段側足場板３用の本設の手摺材である中桟及び上桟を示す。
【００１１】
差込部５は、各支柱２に長手方向所要間隔おきに固着されたフランジ部材からなるもので、各フランジ部材５には、図６に示すように、差込孔５ａが支柱２の周りに９０度の間隔で４つ開口形成されている。また、足場板３の両端部は、図４の（ｂ）  に示すように、単管足場４の横方向（足場板３の幅方向）に隣り合う支柱２，２のフランジ部材５，５に連結された横ステー１８，１８に掛止用フック１９によって掛止される。
【００１２】
上記安全手摺１の構造について更に詳しく説明すると、竪材７の上部側にあるフック１１は、図２の（ａ）  に示すように楔状のフック本体１１ａが下向きに突出するような横向きＬ字状に形成されていると共に、図２の（ｂ）  に示すようにフック１１全体が水平材６と平行ではなく、水平材６に対し一定角度傾斜した状態で竪材７に突設されている。これは、後述するが、この安全手摺１を取り付けた状態で、本設の手摺材である上桟２０を安全手摺１の水平材６と同じ高さ位置に取り付ける時に、水平材６が上桟２０と干渉しないよう安全手摺１全体を上桟２０の外側に位置させるようにすためである（図４の（ｂ）  参照）。図５の（ａ）  及び図６の（ａ）  は、フック１１の楔状フック本体１１ａを支柱２の差込部５であるフランジ部材５の差込孔５ａに差し込んで掛止した状態を示す。
【００１３】
固定金具１０のコ字状枠片１３は、図２の（ｃ）  及び（ｄ）  から分かるように、上部片１３ａと下部片１３ｂと上部両部片１３ａ，１３ｂをつなぐつなぎ片１３ｃとによってコ字状に形成されたものであり、つなぎ片１３ｃは例えば円弧状の取付部片１６を介して竪材７に取り付け固定され、そして上部片１３ａには上孔１７ａが形成され、下部片１３ｂには下孔１７ｂが形成されている。
【００１４】
しかして、支柱２の差込部であるフランジ部材５への取り付けにあたっては、図５の（ｂ）  及び図６の（ｂ）  に示すように、コ字状枠片１３の上部片１３ａを支柱２のフランジ部材５上に掛止させた状態で、楔１４を上部片１３ａの上孔１７ａからフランジ部材５の差込孔５ａに差し込み更に下部片１３ｂの下孔１７ｂに差し込むことにより、楔１４の楔効果によってコ字状枠片１３がフランジ部材５に固定され、それにより各竪材７が支柱２に固定されるようになっている。
【００１５】
斜材８の上流端部に設けられるフック１２は、図１の（ｂ）  及び（ｃ）  に示すように、楔状のフック本体１２ａと、この楔状フック本体１２ａを斜材８の先端部に挿着して取り付ける取付部１２ｂとからなるもので、楔状フック本体１２ａは、図１の（ｂ）  に示すように、その斜辺部１２ｏの中間部に掛止段部２２が形成されている。しかして、フック１２を支柱２のフランジ部材５の差込孔５ａに差し込む際に、楔状フック本体１２ａの上記掛止段部２２が図７の（ａ）  に示すように差込孔５ａに掛止された時は、フック１２の回転が可能な状態となり、また図７の（ｂ）  に示すように、掛止段部２２が掛止段部２２を超えて楔状フック本体１２ａの基端部側が差込孔５ａに挿入されることによって、楔状フック本体１２ａは差込孔５ａに固定される固定されるようになっている。
【００１６】
次に、上記のような構成よりなる安全手摺１の使用方法について、図３〜図５によって説明すると、これらの図において、実線で示される足場板３は単管足場４における既設の下段側足場板であり、仮想線で示される足場板３は新設の上段足場板であって、安全手摺１は、既設の下段側足場板３から、新設する上段足場板３の先行仮設手摺として支柱２，２に取り付けるものである。
【００１７】
この安全手摺１の取付けにあたっては、図３に示すように、既設の下段側足場板３上において作業員Ｍが両手で手摺本体９の竪材７と斜材８の下端部側を持って、斜材８の上流端部（先端部）にあるフック１２を、隣り合う両支柱２，２の一方の支柱２のフランジ部材５の差込孔５ａに掛止させ、この状態で手摺本体９を持ち上げて、竪材７を他方の支柱２に近づけながら、この竪材７の上部側にあるフック１１を支柱２のフランジ部材５の差込孔５ａに挿入掛止させると共に、その下方にある固定金具１０によって竪材７の下端部を支柱２に固定させ、図４に示す状態とする。
【００１８】
上記安全手摺１の取付け作業において、斜材８の上流端部（先端部）にあるフック１２を一方の支柱２のフランジ部材５の差込孔５ａに掛止させる際には、図７の（ａ）  に示すように楔状フック本体１２ａの掛止段部２２を差込孔５ａの縁部に掛止させることにより、フック１２の回転が可能となるから、手摺本体９の竪材７側を他方の支柱２に近づけ際の竪材７の持ち上げ作業をスムーズに行うことができる。また、楔状フック本体１２ａの掛止段部２２を差込孔５ａの縁部に掛止させた状態で、手摺本体９の竪材７側を持ち上げれば、図７の（ｂ）  に示すように掛止段部２２が差込孔５ａ内に落とし込まれて、フック１２が固定状態となるから、竪材７の上部側のフック１１を他方の支柱２のフランジ部材５の差込孔５ａに挿入掛止させ、その下方の固定金具１０によって竪材７の下端部を支柱２に固定させることによって、手摺本体９を両支柱２，２に対し安定状態に取付け固定させることができる。
【００１９】
固定金具１０によって竪杆６，７を支柱２に固定させるには、コ字状枠片１２の上部片１２ａを支柱２のフランジ部材５上に掛止させた状態で、楔１３を上部片１２ａの上孔１５からフランジ部材５の差込孔５ａに差し込み、更に下部片１２ｂの下孔１６に挿入すればよい。
【００２０】
上記のようにして安全手摺１を足場板３の長手方向に隣り合う支柱２，２に仮設した後、図３及び図４に仮想線で示すように上段側足場板３を架け渡す。この足場板３は、図４の（ｂ）  に示すように、足場板３の幅方向に隣り合う支柱２，２のフランジ部材５，５に連結された横ステー１８，１８に掛止用フック１９で掛止させることにより架け渡される。
【００２１】
上段側足場板３の架け渡し後、この上段側足場板３の上方において、足場板３の長手方向に隣り合う支柱２，２間には、安全手摺１の水平材６と略々同じ高さ位置に本設の手摺材２０（上桟）を架け渡す。この場合、図４の（ｂ）  に示すように、安全手摺１は両支柱２，２よりも外側へ若干隔たった位置に取り付けられているから、本設の手摺材２０（上桟）は、安全手摺１の水平材６と干渉することなく、両支柱２，２の軸芯を通る位置に沿って取り付けることができる。
【００２２】
こうして本設の手摺材２０（上桟）を架け渡した後、安全手摺１を支柱２，２から取外し、同じく本設の手摺材２１（下桟）を同じ支柱２，２間に架け渡す。本設の手摺材２０，２１の架け渡しは、各手摺材２０，２１の両端部に設けられた取付金具２３，２３によって行う。この取付金具２３は、前記固定金具１０と同様なものである。尚、図３及び図４には下段側足場板３用の本設の手摺材２０，２１を実線で示す。
【００２３】
以上説明した本発明に係る安全手摺１は、既設の下段側足場板３上にて作業員Ｍが両手で手摺本体９の竪材７と斜材８の下端部側を持って、斜材８の上流端部にあるフック１２を、一方の支柱２のフランジ部材５の差込孔５ａに掛止させ、この状態で手摺本体９を持ち上げて、竪材７をの上部側にあるフック１１を他方の支柱２のフランジ部材５の差込孔５ａに挿入掛止させると共に、その下方にある固定金具１０によって竪材７の下端部を支柱２に固定させるだけでよいから、安全手摺１の取付作業を迅速容易に行うことができる。
【００２４】
そして、この安全手摺１は、手摺本体９が、水平材６と、水平材６の一端部から垂直下方に延びる竪材７と、水平材６の他端部と竪材７の下端部とに亘って延びる斜材８とにより直角三角形状に枠組形成されたものからなるため、矩形枠状に形成される手摺本体に比べて、部材点数が少なく、重量を大幅に軽減できると共に、製作が簡単でコストの低廉化を図ることができる。
【００２５】
また、固定金具１０は、支柱２のフランジ部材５に掛止可能なコ字状枠片１２と、フランジ部材５に掛止させたコ字状枠片１２の上方からコ字状枠片１２及びフランジ部材５を貫通して打ち込まれる楔１３とからなるもので、コ字状枠片１２をフランジ部材５に掛止させて、このコ字状枠片１２の上方から楔１３をコ字状枠片１２の上下孔１２ａ，１２ｂ及びフランジ部材５の差込孔５ａに貫通するように打ち込むことによって、各竪材７を支柱２に簡単に固定できる。
【００２６】
また、斜材８の上流端部にあるフック１２は、楔状に形成されると共に、その斜辺部１２ｏの中間部に掛止段部２２が形成されていて、掛止段部２２が支柱２の差込部５に掛止した時はフック１２の回転が可能であり、掛止段部２２を超えて差込部５に差し込まれることによって固定されるようになっているから、フック１２を一方の支柱２のフランジ部材５の差込孔５ａに掛止させる際には、楔状フック本体１２ａの掛止段部２２を差込孔５ａの縁部に掛止させることにより、フック１２の回転が可能となって、手摺本体９の竪材７側を他方の支柱２に近づけ際の竪材７の持ち上げ作業をスムーズに行うことができる。
【００２７】
以上説明した実施形態では、支柱２の差込部５を差込孔５ａ付きフランジ部材５からなるものとしているが、この差込部５はフランジ部材５に限るものではなく、例えば平面視コ字形の枠片を支柱２の外周面に周方向所要間隔おきに複数個固着してなるポケット型の差込部でもよい。このポケット型差込部の場合、固定金具１０のコ字状枠片１２は、その上部片１２ａと下部片１２ｂとがポケットの上下両端面に当接するように掛止されることになる。
【００２８】
【発明の効果】
請求項１に係る発明の安全手摺は、既設の下段側足場板上にて作業員が手摺本体の竪材と斜材の下端部側とを持って、斜材の上流端部にあるフックを、一方の支柱の差込部に掛止させ、この状態で手摺本体を持ち上げて、竪材の上部側にあるフックを他方の支柱のフランジ部材の差込部に挿入掛止させると共に、その下方にある固定金具で竪材の下端部を支柱に固定させるだけでよいから、安全手摺の取付作業を迅速容易に行うことができる。
【００２９】
また、この安全手摺は、手摺本体が、水平材と、これの一端部から垂直下方に延びる竪材と、水平材の他端部と竪材の下端部とに亘って延びる斜材とにより、直角三角形状に枠組形成されたものからなるため、矩形枠状に形成された手摺本体に比べると、部材点数が少なく、重量を大幅に軽減できると共に、製作が簡単でコストの低廉化を図ることができる。
【００３０】
また、固定金具は、支柱の差込部に掛止可能なコ字状枠片と、その差込部に掛止させたコ字状枠片の上方からコ字状枠片及び差込部を貫通して打ち込まれる楔とからなるもので、コ字状枠片を差込部に掛止させて、このコ字状枠片の上方からコ字状枠片及び楔を貫通するように打ち込むことによって、各竪杆を支柱に簡単に固定することができる。
【００３１】
請求項２に係る発明によれば、フックを一方の支柱の差込部に掛止させる際には、掛止段部を差込部に掛止させることにより、フックの回転が可能となって、手摺本体の竪材側を他方の支柱に近づける際の竪材の持ち上げ作業をスムーズに行うことができる。
【００３２】
請求項３に係る発明によれば、手摺本体には、水平材と竪材との接合部と、斜材の中間部とを結ぶ補強材を設けているから、手摺本体の強度の増大を図ることができると共に、この補強材が安全手摺の中桟となって、作業の一層の安全を図ることができる。
【図面の簡単な説明】
【図１】本発明に係る安全手摺を示す正面図で、（ｂ）  は（ａ）  の矢印イで示す部分の拡大正面図、（ｃ）  は同部分の平面図である。
【図２】（ａ）  は図１の（ａ）  の矢印ロで示す部分の拡大正面図、（ｂ）  は図２の（ａ）  のホ−ホ線断面図、（ｃ）  は図１の矢印ハで示す部分の拡大正面図、（ｄ）は図２の（ｃ）  のヘ−ヘ線断面図である。
【図３】安全手摺の取付方法を説明する安全手摺の正面図である。
【図４】（ａ）  は安全手摺の取付けを終えた状態を示す正面図、（ｂ）  はその平面図である。
【図５】（ａ）  は図４の（ａ）  の矢印トで示す部分の拡大正面図、（ｂ）  は図４の（ａ）  の矢印チで示す部分の拡大正面図である。
【図６】（ａ）  は図５の（ａ）  のリ−リ線断面図、（ｂ）  は図５の（ａ）  のヌ−ヌ
【図７】（ａ）  は斜材の上流端部に設けられるフックが回転可能な状態にあることを示す示す説明図、（ｂ）  は同フックが固定状態にあることを示す説明図である。
【符号の説明】
１          安全手摺
２          支柱
３          足場板
４          足場
５          フランジ部材（差込部）
５ａ        フランジ部材の差込孔
６          水平材
７          竪材
８          斜材
９          手摺本体
１０        固定金具
１１        フック
１２        フック
１３        コ字状枠片
１４        楔
２２        掛止段部
【図１】
2005068652.tif 000003
【図２】
2005068652.tif 000004
【図３】
2005068652.tif 000005
【図４】
2005068652.tif 000006
【図５】
2005068652.tif 000007
【図６】
2005068652.tif 000008
【図７】
2005068652.tif 000009